(57)【要約】【課題】サービスを提供するユーザと、サービスの享受を希望するユーザと、サービスを提供する場所とをマッチングすること。【解決手段】情報処理装置１０は、車両内サービス群に含まれるサービスを提供するユーザ及び当該サービスを希望するユーザの登録を受け付ける登録部１１と、特定のサービスを提供する第１のユーザと当該特定のサービスの享受を希望する第２のユーザとをマッチングし、第１のユーザが乗車する第１の乗車時間及び第１の乗車位置を取得し、第２のユーザが乗車する第２の乗車時間及び第２の乗車位置を取得する取得部１２と、車両が第１の乗車時間に第１の乗車位置に停車し、第２の乗車時間に第２の乗車位置に停車するように移動計画を策定する策定部１３と、移動計画情報を送信する送信部１４と、を備える。車両２０は、移動計画情報を受信する受信部２１と、これを出力する出力部２２と、を備える。【選択図】図２
2019135613.tif 000002
【特許請求の範囲】
【請求項１】
車両内サービス群に含まれるサービスを提供するユーザの登録を受け付け、前記車両内サービス群に含まれるサービスの享受を希望するユーザの登録を受け付ける登録部と、
前記車両内サービス群に含まれる特定のサービスを提供する第１のユーザと前記特定のサービスの享受を希望する第２のユーザとをマッチングし、前記第１のユーザが車両に乗車する第１の乗車時間及び第１の乗車位置を示す第１の乗車情報を取得し、前記第２のユーザが前記車両に乗車する第２の乗車時間及び第２の乗車位置を示す第２の乗車情報を取得する取得部と、
前記第１の乗車情報及び前記第２の乗車情報に基づいて、前記車両が前記第１の乗車時間に前記第１の乗車位置に停車し、前記車両が前記第２の乗車時間に前記第２の乗車位置に停車するように前記車両の移動計画を策定する策定部と、
前記移動計画を示す移動計画情報を前記車両に送信する送信部と、
を備える情報処理装置。
【請求項２】
前記取得部は、前記第１のユーザが前記車両から降車する第１の降車時間及び第１の降車位置を示す第１の降車情報を更に取得し、
前記策定部は、前記車両が前記第１の降車時間に前記第１の降車位置に更に停車するように前記車両の移動計画を策定する、
請求項１に記載の情報処理装置。
【請求項３】
前記取得部は、前記特定のサービスの所要時間を更に取得し、
前記策定部は、前記第１の乗車時間から前記第１の降車時間までの時間が前記特定のサービスの所要時間に等しくなるように前記車両の移動計画を策定する、
請求項２に記載の情報処理装置。
【請求項４】
前記取得部は、前記第２のユーザが前記車両から降車する第２の降車時間及び第２の降車位置を示す第２の降車情報を更に取得し、
前記策定部は、前記車両が前記第２の降車時間に前記第２の降車位置に更に停車するように前記車両の移動計画を策定する、
請求項１に記載の情報処理装置。
【請求項５】
前記取得部は、前記特定のサービスの所要時間を更に取得し、
前記策定部は、前記第２の乗車時間から前記第２の降車時間までの時間が前記特定のサービスの所要時間に等しくなるように前記車両の移動計画を策定する、
請求項４に記載の情報処理装置。
【請求項６】
車両内サービス群に含まれる特定のサービスを提供する第１のユーザが乗車する第１の乗車時間に前記第１のユーザが乗車する第１の位置に停車し、前記特定のサービスの享受を希望する第２のユーザが乗車する第２の時間に前記第２のユーザが乗車する第２の位置に停車するように策定された移動計画を示す移動計画情報を受信する受信部と、
前記移動計画情報を出力する出力部と、
を備える車両。
【発明の詳細な説明】
【技術分野】
【０００１】
本発明は、情報処理装置及び車両に関する。
【背景技術】
【０００２】
下記特許文献１には、各端末より、登録されている他ユーザの端末のアドレスの情報を取得するアドレス取得部と、前記取得したアドレスを用いて、各ユーザをノードとし、アドレス登録があるユーザ間にエッジを設けたグラフとして、ユーザマップを生成するユーザマップ生成部と、前記生成したユーザマップを用いて、各ユーザにおける他ユーザの信頼度を、当該ユーザから他ユーザに至るパスに基づいて算出する信頼度算出部と、を備え、マッチングを要求するユーザの端末に対して、当該要求ユーザに対して前記算出された信頼度に基づいてマッチング候補のユーザを提示することで、端末間でのマッチングの仲介を行うマッチング部をさらに備えることを特徴とする信頼度算出装置が開示されている。
【先行技術文献】
【特許文献】
【０００３】
【特許文献１】特開２０１４−２１５６７０号公報
【発明の概要】
【発明が解決しようとする課題】
【０００４】
しかし、この信頼度算出装置は、好適な車両の乗り合い相手を決定することができるものの、サービスを提供するユーザと、サービスの享受を希望するユーザと、サービスを提供する場所とをマッチングすることができない。
【０００５】
そこで、本発明は、サービスを提供するユーザと、サービスの享受を希望するユーザと、サービスを提供する場所とをマッチングすることができる情報処理装置及び車両を提供することを目的とする。
【課題を解決するための手段】
【０００６】
本発明の一態様に係る情報処理装置は、車両内サービス群に含まれるサービスを提供するユーザの登録を受け付け、前記車両内サービス群に含まれるサービスの享受を希望するユーザの登録を受け付ける登録部と、前記車両内サービス群に含まれる特定のサービスを提供する第１のユーザと前記特定のサービスの享受を希望する第２のユーザとをマッチングし、前記第１ユーザが車両に乗車する第１の乗車時間及び第１の乗車位置を示す第１の乗車情報を取得し、前記第２ユーザが前記車両に乗車する第２の乗車時間及び第２の乗車位置を示す第２の乗車情報を取得する取得部と、前記第１の乗車情報及び前記第２の乗車情報に基づいて、前記車両が前記第１の乗車時間に前記第１の乗車位置に停車し、前記車両が前記第２の乗車時間に前記第２の乗車位置に停車するように前記車両の移動計画を策定する策定部と、前記移動計画を示す移動計画情報を前記車両に送信する送信部と、を備える。
【０００７】
本発明の一態様に係る車両は、車両内サービス群に含まれる特定のサービスを提供する第１のユーザが乗車する第１の乗車時間に前記第１のユーザが乗車する第１の位置に停車し、前記特定のサービスの享受を希望する第２のユーザが乗車する第２の時間に前記第２のユーザが乗車する第２の位置に停車するように策定された移動計画を示す移動計画情報を受信する受信部と、前記移動計画情報を出力する出力部と、備える。
【発明の効果】
【０００８】
本発明によれば、サービスを提供するユーザと、サービスの享受を希望するユーザと、サービスを提供する場所とをマッチングすることができる情報処理装置及び車両を提供することができる。
【図面の簡単な説明】
【０００９】
【図１】実施形態に係る情報処理装置及び車両の構成の例を示す図である。
【図２】実施形態に係る情報処理装置及び車両が行う処理の例を示すシーケンス図である。
【発明を実施するための形態】
【００１０】
添付図面を参照して、本発明の好適な実施形態について説明する。なお、各図において、同一の符号を付したものは同一又は同様の構成を有する。
【００１１】
［実施形態］
図１を参照しながら、実施形態に係る情報処理装置及び車両の構成について説明する。
【００１２】
情報処理装置１０は、例えば、データセンターに設置されたサーバであり、図１に示すように、登録部１１と、取得部１２と、策定部１３と、送信部１４とを備える。また、情報処理装置１０は、少なくとも取得部１２、策定部１３及び送信部１４を備えていればよい。なお、情報処理装置１０は、構成要素それぞれの機能を備える個々の装置の集合、例えば、登録部１１、取得部１２、策定部１３及び送信部１４それぞれの機能を備え、四つのマイクロデータセンターそれぞれに設置されたエッジサーバの集合であってもよい。  
【００１３】
車両２０は、少なくとも一つのサービスの提供の場となる自動車であり、サービスを提供する上で必要な内装を実現するための設備や資材を積載している。これらの設備や資材は、例えば、保育サービスを提供するための子供用の玩具や遊具、美容サービスを提供するための鏡や洗面台、マッサージを提供するためのベッドである。また、車両２０は、例えば、図１に示すように、受信部２１と、出力部２２とを備え、受信部２１及び出力部２２について同等の機能を備える他の装置を利用してもよい。
【００１４】
なお、情報処理装置１０及び車両２０は、図１に示した構成要素以外の構成要素を備えていてもよい。
【００１５】
登録部１１は、車両内サービス群に含まれるサービスを提供するユーザの登録を受け付け、車両内サービス群に含まれるサービスの享受を希望するユーザの登録を受け付ける。ここで、車両内サービス群とは、車両２０内で提供され得るサービス、例えば、保育サービス、美容サービス、マッサージである。サービスを提供するユーザは、例えば、保育士、美容師、あん摩マッサージ指圧師である。なお、登録部１１は、登録を受け付けたユーザの情報を自身が備える記憶媒体又は外部の記憶媒体に格納してもよい。また、登録部１１が実行する処理は、取得部１２が実行する処理よりも所定の時間だけ前に完了していることが好ましい。
【００１６】
取得部１２は、車両内サービス群に含まれる特定のサービスを提供する第１のユーザと特定のサービスの享受を希望する第２のユーザとをマッチングし、第１のユーザが車両２０に乗車する第１の乗車時間及び第１の乗車位置を示す第１の乗車情報を取得し、第２のユーザが車両２０に乗車する第２の乗車時間及び第２の乗車位置を示す第２の乗車情報を取得する。第１の乗車時間及び第２の乗車時間は、特定の時刻又は時間帯である。第１の乗車位置及び第２の乗車位置は、特定の地点又は領域である。
【００１７】
取得部１２は、例えば、第１のユーザや第２のユーザが携帯する携帯端末に入力した第１の乗車情報や第２の乗車情報を携帯端末から取得する。なお、取得部１２は、例えば、第１のユーザや第２のユーザが携帯する携帯端末に搭載されているＧＰＳ（Global  Positioning  System）受信機から第１の乗車位置や第２の乗車位置を取得してもよい。
【００１８】
例えば、取得部１２は、美容サービスを提供する第１のユーザとしての一人の美容師と、この美容師が提供する美容サービスの享受を希望する第２のユーザとしての客とをマッチングする。ここで言う一人の美容師及び客は、登録部１１が登録を受け付けている者である。そして、取得部１２は、この美容師が車両２０に乗車する第１の乗車時間及び第１の乗車位置を示す第１の乗車情報を取得し、この客が車両２０に乗車する第２の乗車時間及び第２の乗車位置を示す第２の乗車情報を取得する。
【００１９】
策定部１３は、第１の乗車情報及び第２の乗車情報に基づいて、車両２０が第１の乗車時間に第１の乗車位置に停車し、車両２０が第２の乗車時間に第２の乗車位置に停車するように車両２０の移動計画を策定する。この移動計画は、車両２０が第１のユーザ及び第２のユーザを乗車及び降車させるための旅程であり、例えば、車両２０が走行すべき経路、車両２０が所定の時間に通過又は停車すべき地点、車両２０の速さを含む。また、この移動計画は、第１の乗車時間及び第２の乗車時間が特定の時間帯であり、第１の乗車位置及び第２の乗車位置が特定の領域である場合、一組の第１の乗車情報及び第２の乗車情報に対して複数策定され得る。
【００２０】
送信部１４は、移動計画を示す移動計画情報を車両２０に送信する。
【００２１】
また、取得部１２は、第１のユーザが車両２０から降車する第１の降車時間及び第１の降車位置を示す第１の降車情報を取得してもよい。この場合、策定部１３は、車両２０が第１の降車時間に第１の降車位置に更に停車するように車両２０の移動計画を策定する。さらに、取得部１２は、特定のサービスの所要時間を取得してもよい。この場合、策定部１３は、第１の乗車時間から第１の降車時間までの時間が特定のサービスの所要時間に等しくなるように車両２０の移動計画を策定してもよい。
【００２２】
同様に、取得部１２は、第２のユーザが車両２０から降車する第２の降車時間及び第２の降車位置を示す第２の降車情報を取得してもよい。この場合、策定部１３は、車両２０が第２の降車時間に第２の降車位置に更に停車するように車両２０の移動計画を策定する。さらに、取得部１２は、特定のサービスの所要時間を取得してもよい。この場合、策定部１３は、第２の乗車時間から第２の降車時間までの時間が特定のサービスの所要時間に等しくなるように車両２０の移動計画を策定してもよい。
【００２３】
なお、取得部１２は、第１の乗車情報や第２の乗車情報を取得する手段と同様の手段により第１の降車情報や第２の降車情報を取得する。また、第１の降車時間及び第２の降車時間は、特定の時刻又は時間帯である。同様に、第１の降車位置及び第２の降車位置は、特定の地点又は領域である。したがって、策定部１３は、第１の降車時間及び第２の降車時間が特定の時間帯であり、第１の降車位置及び第２の降車位置が特定の領域である場合、複数の移動計画を策定することができる。
【００２４】
受信部２１は、車両内サービス群に含まれる特定のサービスを提供する第１のユーザが乗車する第１の乗車時間に第１のユーザが乗車する第１の位置に停車し、特定のサービスの享受を希望する第２のユーザが乗車する第２の時間に第２のユーザが乗車する第２の位置に停車するように策定された移動計画を示す移動計画情報を受信する。
【００２５】
出力部２２は、移動計画情報を出力する。例えば、出力部２２は、車両２０が手動運転により移動する場合、カーナビゲーション装置のディスプレイ又はスピーカーである。この場合、車両２０は、このディスプレイに表示された移動計画を参照した運転者により、策定部１３が策定した移動計画に従って移動する。一方、出力部２２は、車両２０が自動運転により移動する場合、策定部１３が策定した移動計画の通りに移動するように車両２０の各部を制御する装置である。この場合、車両２０は、この装置により制御され、策定部１３が策定した移動計画に従って移動する。
【００２６】
いずれの場合においても、第１のユーザは、車両２０が移動計画に従って移動している間に第２のユーザに特定のサービスを提供し、第１の降車乗車及び第２の降車乗車の少なくとも一方が取得されていても同様である。また、第１のユーザが第２のユーザに特定のサービスを提供した後、車両２０の内装が変更され、新たな移動計画が策定され、別の第１のユーザが別の第２のユーザに別の特定のサービスを提供してもよい。
【００２７】
図２を参照しながら、実施形態に係る情報処理装置１０及び車両２０が行う好適な処理の例について説明する。
【００２８】
ステップＳ１において、取得部１２は、車両内サービス群に含まれる特定のサービスを提供する第１のユーザと当該特定のサービスの享受を希望する第２のユーザとをマッチングし、第１ユーザが車両２０に乗車する第１の乗車時間及び第１の乗車位置を示す第１の乗車情報を取得し、第２ユーザが車両２０に乗車する第２の乗車時間及び第２の乗車位置を示す第２の乗車情報を取得する。
【００２９】
ステップＳ２において、策定部１３は、第１の乗車情報及び第２の乗車情報に基づいて、車両２０が第１の乗車時間に第１の乗車位置に停車し、車両２０が第２の乗車時間に第２の乗車位置に停車するように車両２０の移動計画を策定する。
【００３０】
ステップＳ３において、送信部１４は、ステップＳ２で策定された移動計画を示す移動計画情報を送信する。
【００３１】
ステップＳ４において、受信部２１は、ステップＳ３で送信された移動計画情報を受信する。
【００３２】
ステップＳ５において、出力部２２は、ステップＳ４で受信された移動計画情報を出力する。
【００３３】
以上、本発明の一例である実施形態について説明した。実施形態に係る情報処理装置１０は、特定のサービスを提供する第１のユーザと当該特定のサービスの享受を希望する第２のユーザとをマッチングし、第１のユーザが車両２０に乗車する第１の乗車時間及び第１の乗車位置を取得し、第２のユーザが車両２０に乗車する第２の乗車時間及び第２の乗車位置を取得し、車両２０が第１の乗車時間に第１の乗車位置に停車し、車両２０が第２の乗車時間に第２の乗車位置に停車するように車両２０の移動計画を策定し、車両２０に出力する。このため、情報処理装置１０及び車両２０は、サービスを提供するユーザと、サービスの享受を希望するユーザと、サービスを提供する場所とをマッチングすることができる。
【００３４】
また、情報処理装置１０は、第１のユーザが車両２０から降車する第１の降車時間及び第１の降車位置を取得し、車両２０が第１の降車時間に第１の降車位置に更に停車するように車両２０の移動計画を策定し、車両２０に出力する。このため、情報処理装置１０及び車両２０は、第１のユーザを希望の時間に車両２０から降車させることができる。
【００３５】
さらに、情報処理装置１０は、特定のサービスの所要時間を取得し、第１の乗車時間から第１の降車時間までの時間が特定のサービスの所要時間に等しくなるように車両２０の移動計画を策定し、車両２０に出力する。このため、情報処理装置１０及び車両２０は、特定のサービスを提供し終えた第１のユーザを速やかに車両２０から降車させることができる。
【００３６】
同様に、情報処理装置１０は、第２のユーザが車両２０から降車する第２の降車時間及び第２の降車位置を取得し、車両２０が第２の降車時間に第２の降車位置に更に停車するように車両２０の移動計画を策定し、車両２０に出力する。このため、情報処理装置１０及び車両２０は、第２のユーザを希望の時間に車両２０から降車させることができる。
【００３７】
さらに、情報処理装置１０は、特定のサービスの所要時間を取得し、第２の乗車時間から第２の降車時間までの時間が特定のサービスの所要時間に等しくなるように車両２０の移動計画を策定し、車両２０に出力する。このため、情報処理装置１０及び車両２０は、特定のサービスを享受し終えた第２のユーザを速やかに車両２０から降車させることができる。
【００３８】
なお、登録部１１、取得部１２、策定部１３及び送信部１４の少なくとも一つは、車両２０に含まれていてもよい。
【００３９】
なお、本発明は、上述した実施形態に限定されるものではなく、本発明の要旨を逸脱しない範囲内において、他の様々な形で実施することができる。このため、上述した実施形態はあらゆる点で単なる例示にすぎず、限定的に解釈されるものではない。例えば、上述した各処理ステップは処理内容に矛盾を生じない範囲で任意に順番を変更し、又は並列に実行することができる。
【符号の説明】
【００４０】
１０…情報処理装置、１１…登録部、１２…取得部、１３…策定部、１４…送信部、２０…車両、２１…受信部、２２…出力部
【図１】
2019135613.tif 000003
【図２】
2019135613.tif 000004